(57)【特許請求の範囲】
【請求項１】
時間に対応して行動予定を記録するスケジュール管理機能を有する移動端末を用いて、発側ユーザと着側ユーザとの間でデータ通信を行うためのデータ通信方法であって、
前記発側ユーザが前記移動端末で前記着側ユーザの前記移動端末に、文字データを互いに送受信して通話する文字通話の発呼をしたときに、前記着側ユーザが応答しなかった場合に、前記発側ユーザの前記移動端末と網との間で設定したパケット通信チャネルを使用して、前記発側ユーザの前記移動端末から前記着側ユーザの前記移動端末に、日時および該日時の行動予定が記載されたスケジュール形式のメールを送信し、
前記着側ユーザの前記移動端末が管理するスケジュール情報において、前記メールに記載された前記日時に既に他の行動予定が設定されているか否かに応じて、前記日時に既に他の行動予定が設定されていればその旨を、前記日時に他の行動予定が設定されていなければその旨を、前記着側ユーザの前記移動端末から前記発側ユーザの前記移動端末に自動的に応答するデータ通信方法。
【請求項２】
時間に対応して行動予定を記録するスケジュール管理機能を有する移動端末を用いて、発側ユーザと着側ユーザとの間でデータ通信を行うためのデータ通信方法であって、
前記発側ユーザが前記移動端末で前記着側ユーザの前記移動端末に、文字データを互いに送受信して通話する文字通話の発呼をしたときに、前記着側ユーザが応答しなかった場合に、前記発側ユーザの前記移動端末と網との間で設定したパケット通信チャネルを使用して、前記発側ユーザの前記移動端末から前記着側ユーザの前記移動端末に、日時および該日時の行動予定が記載されたスケジュール形式のメールを送信し、
前記着側ユーザの前記移動端末が管理するスケジュール情報において、前記メールに記載された前記日時に既に他の行動予定が設定されている場合に、前記日時には既に他の前記行動予定が設定されている旨を前記着側ユーザの前記移動端末から前記発側ユーザの前記移動端末に自動的に応答し、
前記スケジュール情報において、前記メールに記載された前記日時に前記他の行動予定が設定されていない場合に、前記スケジュール情報の前記日時に前記メールに記載された前記行動予定を登録し、該行動予定を登録した旨を前記着側ユーザの前記移動端末から前記発側ユーザの前記移動端末に自動的に応答するデータ通信方法。
【請求項３】
時間に対応して行動予定を記録するスケジュール管理機能を有する移動端末を用いて、発側ユーザと着側ユーザとの間でデータ通信を行うためのデータ通信方法であって、
前記発側ユーザが前記移動端末で前記着側ユーザの前記移動端末に、文字データを互いに送受信して通話する文字通話の発呼をしたときに、前記着側ユーザが応答しなかった場合に、前記発側ユーザの前記移動端末と網との間で設定したパケット通信チャネルを使用して、前記発側ユーザの前記移動端末から前記着側ユーザの前記移動端末に、日時および該日時の行動予定が記載されたスケジュール形式のメールを送信し、
前記着側ユーザの前記移動端末が管理するスケジュール情報において、前記メールに記載された前記日時に既に他の行動予定が設定されている場合に、前記スケジュール情報の前記日時に前記メールに記載された前記行動予定を更に登録し、該行動予定を既に登録されていた前記他の行動予定に重複して登録した旨を前記着側ユーザの前記移動端末から前記発側ユーザの前記移動端末に自動的に応答し、
前記スケジュール情報において、前記メールに記載された前記日時に前記他の行動予定が設定されていない場合に、前記スケジュール情報の前記日時に前記メールに記載された前記行動予定を登録し、該行動予定を登録した旨を前記着側ユーザの前記移動端末から前記発側ユーザの前記移動端末に自動的に応答するデータ通信方法。
【請求項４】
前記発側ユーザが前記移動端末で前記着側ユーザの前記移動端末に、前記文字通話の発呼をしたときに、前記着側ユーザの前記移動端末が圏外または電源オフであった場合に、前記発側ユーザの前記移動端末と網との間で設定したパケット通信チャネルを使用して、前記発側ユーザの前記移動端末から前記着側ユーザの前記移動端末にメールを送信する、請求項１から３のいずれか１項に記載のデータ通信方法。
【請求項５】
発側ユーザと着側ユーザとの間でデータ通信を行うためのデータ通信システムであって、
前記発側ユーザが、文字データを互いに送受信して通話する文字通話の発呼をしたときに、前記着側ユーザが応答しなかった場合に、網との間で設定したパケット通信チャネルをそのまま使用して、日時および該日時の行動予定が記載されたスケジュール形式のメールを送信する発側移動端末と、
前記着側ユーザのスケジュール情報を管理しており、前記メールに記載された前記日時に既に他の行動予定が設定されているか否かに応じて、前記日時に既に他の行動予定が設定されていればその旨を、前記日時に他の行動予定が設定されていなければその旨を、前記発側移動端末に自動的に応答する着側移動端末を有するデータ通信システム。
【請求項６】
発側ユーザと着側ユーザとの間でデータ通信を行うためのデータ通信システムであって、
前記発側ユーザが、文字データを互いに送受信して通話する文字通話の発呼をしたときに、前記着側ユーザが応答しなかった場合に、網との間で設定したパケット通信チャネルをそのまま使用して、日時および該日時の行動予定が記載されたスケジュール形式のメールを送信する発側移動端末と、
前記着側ユーザのスケジュール情報を管理しており、前記メールに記載された前記日時に既に他の行動予定が設定されている場合に、前記日時には既に他の前記行動予定が設定されている旨を前記発側移動端末に自動的に応答し、前記メールに記載された前記日時に前記他の行動予定が設定されていない場合に、前記スケジュール情報の前記日時に前記メールに記載された前記行動予定を登録し該行動予定を登録した旨を前記発側移動端末に自動的に応答する着側移動端末を有するデータ通信システム。
【請求項７】
発側ユーザと着側ユーザとの間でデータ通信を行うためのデータ通信装置であって、
前記発側ユーザが、文字データを互いに送受信して通話する文字通話の発呼をしたときに、前記着側ユーザが応答しなかった場合に、網との間で設定したパケット通信チャネルをそのまま使用して、前記着側移動端末に、日時および該日時の行動予定が記載されたスケジュール形式のメールを送信する発側移動端末と、
前記着側ユーザのスケジュール情報を管理しており、前記メールに記載された前記日時に既に他の行動予定が設定されている場合に、前記スケジュール情報の前記日時に前記メールに記載された前記行動予定を更に登録し、該行動予定を既に登録されていた前記他の行動予定に重複して登録した旨を前記発側移動端末に自動的に応答し、前記メールに記載された前記日時に前記他の行動予定が設定されていない場合に、前記スケジュール情報の前記日時に前記メールに記載された前記行動予定を登録し、該行動予定を登録した旨を前記発側移動端末に自動的に応答する着側移動端末を有するデータ通信システム。
【請求項８】
前記発側移動端末は、前記発側ユーザが前記文字通話の発呼をしたときに、前記着側ユーザの前記移動端末が圏外または電源オフであった場合に、網との間で設定したパケット通信チャネルをそのまま使用して前記着側移動端末にメールを送信する、請求項５から７のいずれか１項に記載のデータ通信システム。
【発明の詳細な説明】
【０００１】
【発明の属する技術分野】
本発明は、携帯電話等の通信装置におけるパケットによるデータ通信方法に関し、特に、スケジュール管理機能を有する通信装置のデータ通信方法に関する。
【０００２】
【従来の技術】
広く普及した携帯電話等の移動端末等では、時や場所を選ばずに通信することができるが、その場の状況によっては音声によって通話することが周囲の人の迷惑になる場合がある。
【０００３】
音声によらずにリアルタイムで通信する手段としてはチャットによる通信形態があり、これによれば音声で通話することが周囲の人の迷惑になるような場合にもリアルタイムで通信が可能である。
【０００４】
チャットによる通話（以下、文字通話と称す）では、例えば、ユーザは移動端末から相手の移動端末に発呼してパケット通信のためのチャネルを確保した後に、キー操作により入力した文字のデータをパケットで送信すると、相手の移動端末のディスプレイにその文字が表示される。相手はそれに対する応答を文字で入力してそのデータをパケットで送信することができ、これを繰り返すことでリアルタイムで対話形式の通信を行うことができる。簡単な用件であれば、音声通話ができない状況においても文字通話で用件を伝えてそれに対する回答等を得ることができる。
【０００５】
【発明が解決しようとする課題】
上記した文字通話は発呼したときに相手が文字通話の要求を受け入れた場合にのみ可能であり、相手が応答しなかった場合や拒否した場合などには行うことができない。そのようなとき電子メールによれば用件を伝えることができるが、電子メールは用件を送信するだけの一方通行の通信であり、電子メールの送信者は相手がその電子メールを読んだか否か、その用件を了解したか否かなどを知ることはできない。
【０００６】
相手と調整してスケジュールを合わせ、約束を交わす必要がある場合、電子メールで予定日時を通知しても、相手からの回答があるまでその日時に相手のスケジュールが空きであるか否かを知ることができない。相手が手の離せない状況にある場合等では回答が遅れることがある。
【０００７】
本発明の目的は、相手が文字通話に応じない場合に、相手とのスケジュール合わせが可能なデータ通信方法を提供することである。
【０００８】
【課題を解決するための手段】
上記目的を達成するために、本発明のデータ通信方法は、時間に対応して行動予定を記録するスケジュール管理機能を有する移動端末を用いて、発側ユーザと着側ユーザとの間でデータ通信を行うためのデータ通信方法であって、発側ユーザが移動端末で着側ユーザの移動端末に、文字データを互いに送受信して通話する文字通話の発呼をしたときに、着側ユーザが応答しなかった場合に、発側ユーザの移動端末と網との間で設定したパケット通信チャネルを使用して、発側ユーザの移動端末から着側ユーザの移動端末に、日時およびその日時の行動予定が記載されたスケジュール形式のメールを送信し、着側ユーザの移動端末が管理するスケジュール情報において、前記メールに記載された日時に既に他の行動予定が設定されているか否かに応じて、前記日時に既に他の行動予定が設定されていればその旨を、前記日時に他の行動予定が設定されていなければその旨を、着側ユーザの移動端末から発側ユーザの移動端末に自動的に応答する。
【０００９】
本発明によれば、発側ユーザが発呼して文字通話の開始を要求したときに着側ユーザが応答しないと、発側ユーザの移動端末が発側ユーザの入力したスケジュール形式メールを着側ユーザの移動端末に送信する。着側ユーザの移動端末がそれに自動的に応じて自己の管理するスケジュール情報を検索し、スケジュール形式メールで通知された日時に着側ユーザの行動予定が既に入っているか否かに応じた応答を自動的に行う。
【００１０】
本発明の他のデータ通信方法は、時間に対応して行動予定を記録するスケジュール管理機能を有する移動端末を用いて、発側ユーザと着側ユーザとの間でデータ通信を行うためのデータ通信方法であって、
発側ユーザが移動端末で着側ユーザの移動端末に、文字データを互いに送受信して通話する文字通話の発呼をしたときに、着側ユーザが応答しなかった場合に、発側ユーザの移動端末と網との間で設定したパケット通信チャネルを使用して、発側ユーザの移動端末から着側ユーザの移動端末に、日時およびその日時の行動予定が記載されたスケジュール形式のメールを送信し、
着側ユーザの移動端末が管理するスケジュール情報において、メールに記載された日時に既に他の行動予定が設定されている場合に、日時には既に他の行動予定が設定されている旨を着側ユーザの移動端末から発側ユーザの移動端末に自動的に応答し、
スケジュール情報において、前記メールに記載された日時に他の行動予定が設定されていない場合に、スケジュール情報の日時にメールに記載された行動予定を登録し、その行動予定を登録した旨を着側ユーザの移動端末から発側ユーザの移動端末に自動的に応答する。
【００１１】
本発明によれば、発側ユーザが発呼して文字通話の開始を要求したときに着側ユーザが応答しないと、発側ユーザの移動端末が発側ユーザの入力したスケジュール形式メールを着側ユーザの移動端末に送信する。着側ユーザの移動端末がそれに自動的に応じて自己の管理するスケジュール情報を検索し、スケジュール形式メールで通知された日時に着側ユーザの行動予定が既に入っている場合には、登録できない旨を発側ユーザに応答し、着側ユーザの行動予定が入っていなければスケジュール形式メールで通知された行動予定を登録し、登録した旨を発側ユーザに応答する。
【００１２】
本発明のさらに他のデータ通信方法は、時間に対応して行動予定を記録するスケジュール管理機能を有する移動端末を用いて、発側ユーザと着側ユーザとの間でデータ通信を行うためのデータ通信方法であって、
発側ユーザが移動端末で着側ユーザの移動端末に、文字データを互いに送受信して通話する文字通話の発呼をしたときに、着側ユーザが応答しなかった場合に、発側ユーザの移動端末と網との間で設定したパケット通信チャネルを使用して、発側ユーザの移動端末から着側ユーザの移動端末に、日時およびその日時の行動予定が記載されたスケジュール形式のメールを送信し、
着側ユーザの移動端末が管理するスケジュール情報において、前記メールに記載された日時に既に他の行動予定が設定されている場合に、スケジュール情報の日時にメールに記載された行動予定を更に登録し、その行動予定を既に登録されていた他の行動予定に重複して登録した旨を着側ユーザの移動端末から発側ユーザの前記移動端末に自動的に応答し、
スケジュール情報において、メールに記載された日時に他の行動予定が設定されていない場合に、スケジュール情報の日時にメールに記載された行動予定を登録し、その行動予定を登録した旨を着側ユーザの移動端末から発側ユーザの移動端末に自動的に応答する。
【００１３】
本発明によれば、発側ユーザが発呼して文字通話の開始を要求したときに着側ユーザが応答しないと、発側ユーザの移動端末は発側ユーザの入力したスケジュール形式メールを着側ユーザに送信する。着側ユーザの移動端末がそれに自動的に応じてメールで通知された日時と行動予定を自己の管理するスケジュール情報に登録するとともに、メールで通知された日時に着側ユーザの行動予定が既に入っている場合には重複登録となった旨を発側ユーザに応答し、行動予定が入っていなければメールで通知された行動予定を登録し、重複せずに登録した旨を発側ユーザに応答する。
【００１４】
本発明の実施態様によれば、発側ユーザが移動端末で着側ユーザの移動端末に、文字通話の発呼をしたときに、着側ユーザの移動端末が圏外または電源オフであった場合に、発側ユーザの移動端末と網との間で設定したパケット通信チャネルを使用して、発側ユーザの移動端末から着側ユーザの移動端末にメールを送信する。
【００１５】
本実施態様によれば、発側ユーザが文字通話を行うために発呼したとき、着側移動端末が圏外または電源オフであれば着側ユーザの移動端末は発側ユーザに即座に応答することができないので、発側ユーザの移動端末は着側ユーザの移動端末に通常の電子メールで一方的に用件を通知する。
【００１６】
本発明のデータ通信システムは、発側ユーザと着側ユーザとの間でデータ通信を行うためのデータ通信システムであって、発側ユーザが、文字データを互いに送受信して通話する文字通話の発呼をしたときに、着側ユーザが応答しなかった場合に、網との間で設定したパケット通信チャネルをそのまま使用して、日時およびその日時の行動予定が記載されたスケジュール形式のメールを送信する発側移動端末と、着側ユーザのスケジュール情報を管理しており、前記メールに記載された日時に既に他の行動予定が設定されているか否かに応じて、前記日時に既に他の行動予定が設定されていればその旨を、前記日時に他の行動予定が設定されていなければその旨を、発側移動端末に自動的に応答する着側移動端末を有している。
【００１７】
本発明の他のデータ通信システムは、発側ユーザと着側ユーザとの間でデータ通信を行うためのデータ通信システムであって、
発側ユーザが、文字データを互いに送受信して通話する文字通話の発呼をしたときに、着側ユーザが応答しなかった場合に、網との間で設定したパケット通信チャネルをそのまま使用して、日時およびその日時の行動予定が記載されたスケジュール形式のメールを送信する発側移動端末と、
着側ユーザのスケジュール情報を管理しており、前記メールに記載された日時に既に他の行動予定が設定されている場合に、日時には既に他の行動予定が設定されている旨を発側移動端末に自動的に応答し、メールに記載された日時に他の行動予定が設定されていない場合に、スケジュール情報の日時にメールに記載された行動予定を登録しその行動予定を登録した旨を発側移動端末に自動的に応答する着側移動端末を有している。
【００１８】
本発明の他のデータ通信システムは、発側ユーザと着側ユーザとの間でデータ通信を行うためのデータ通信システムであって、発側ユーザが、文字データを互いに送受信して通話する文字通話の発呼をしたときに、着側ユーザが応答しなかった場合に、網との間で設定したパケット通信チャネルをそのまま使用して、着側移動端末に、日時およびその日時の行動予定が記載されたスケジュール形式のメールを送信する発側移動端末と、着側ユーザのスケジュール情報を管理しており、前記メールに記載された日時に既に他の行動予定が設定されている場合に、スケジュール情報の日時にメールに記載された行動予定を更に登録し、その行動予定を既に登録されていた他の行動予定に重複して登録した旨を発側移動端末に自動的に応答し、メールに記載された日時に他の行動予定が設定されていない場合に、スケジュール情報の日時にメールに記載された行動予定を登録し、その行動予定を登録した旨を発側移動端末に自動的に応答する着側移動端末を有している。
【００１９】
本発明の実施態様によれば、発側移動端末は、発側ユーザが文字通話の発呼をしたときに、着側ユーザの移動端末が圏外または電源オフであった場合に、網との間で設定したパケット通信チャネルをそのまま使用して着側移動端末にメールを送信する。
【００２０】
【発明の実施の形態】
本発明の実施の形態について図面を参照して詳細に説明する。
【００２１】
まず、本発明の一実施形態の移動通信システムの構成について説明する。
【００２２】
図１を参照すると、本実施形態の移動通信システムは発側移動端末１と着側移動端末２と網３を有している。発側移動端末１と着側移動端末２は同一の構成の移動端末であるが、本実施形態において発側となった場合と着側となった場合とでそれぞれの動作を行うので区別している。
【００２３】
本実施形態の発側および着側移動端末１，２は通常の音声通話の他に文字データ等のデータ通信が可能であり、文字データの送受信によりリアルタイムで通信を行う文字通話モードと、電子メールを送信する電子メールモードで動作可能である。さらに、電子メールモードには通常の電子メールモードの他に、日時とその日時の行動予定等のデータを通知し、通信相手とスケジュールの調整を行うためのスケジュール形式メール通信モードがある。
【００２４】
発側移動端末１から着側移動端末２に文字通話モードで通信を行うために発呼したときに着側移動端末２のユーザが文字通話を拒否した場合、発側移動端末１は自動的にスケジュール形式メール通信モードにモード変更を行ってスケジュール形式メールを着側移動端末２に送信する。スケジュール形式メールを受信した着側移動端末２はユーザの操作を介することなく、自己の管理するスケジュール情報を参照して応答することでスケジュール調整を行う。
【００２５】
図２を参照すると、発側および着側移動端末１，２は、アンテナ１１と変復調部１２と制御部１３とデータメモリ部１４と文字通話用ワークメモリ１５と操作部１６と表示部１７を有している。
【００２６】
変復調部１２はアンテナ１１を介して送受信する信号の変復調を行う。
【００２７】
データメモリ部１４は通信相手の電話番号や電子メールアドレスを含むアドレス帳情報や、ユーザの行動予定が時間に対応して記録されたスケジュール情報を記憶している。
【００２８】
文字通話用ワークメモリ１５は文字通話において送信する文字列データを一時的に記憶する。
【００２９】
操作部１６はユーザが操作するキーを含み、ユーザのキー操作を検出する。
【００３０】
表示部１７は、文字通話においてユーザがキー操作により入力した文字列データおよび通信相手から受信した文字列データ等を表示し、メール通信においてユーザがキー操作により入力した送信電子メールの内容、および受信した電子メールの内容等を表示する。
【００３１】
制御部１３は発側および着側移動端末１，２の各動作を制御する機能を有し、図２に示すように文字通話制御部１３１とスケジュール管理制御部１３２とスケジュール確認制御部１３３と応答メッセージ制御部１３４と選択判定部１３５を有している。
【００３２】
選択判定部１３５は、通信相手に発呼して文字通信を要求したとき、通信相手が文字通話を受け入れた場合には文字通話モードを選択し、通信相手が文字通話を拒否した場合には、スケジュール調整のための電子メール（スケジュール形式メール）にて日時情報等を含むスケジュールのデータを通知するスケジュール形式メール通信モードを選択する。この選択の切り替え時に既に確保されているパケット通信チャネルを開放することなく、そのままそのチャネルを新たなモードで使用する。
【００３３】
文字通話制御部１３１は文字通話モードにおいて動作し、ユーザが操作部１６から入力した文字列データを文字通話用ワークメモリ１５に一時的に記録しておき、ユーザが操作部１６から送信の指示を行うと文字通話用ワークメモリ１５に記録していた文字列データを送信する。
【００３４】
スケジュール管理制御部１３２はユーザの所望によりスケジュール情報をデータメモリ部１４に記録し、また、データメモリ部１４に記憶されたスケジュール情報を表示部１７に表示させる。さらに、スケジュール形式メール通信モードにおいて動作し、ユーザが入力した日時や行動予定等のデータをパケットで通信相手に送信する。
【００３５】
スケジュール確認制御部１３３は、着側移動端末２として動作する場合に、通信相手から受信したスケジュール形式メールに示された日時に、スケジュールが登録されているか否かをデータメモリ部１４のスケジュール情報を検索して確認し、登録されていなかった場合にはスケジュール形式メールに示された行動予定をデータメモリ部１４のスケジュール情報に登録する。
【００３６】
応答メッセージ制御部１３４は、着側移動端末２として動作する場合に、スケジュール確認制御部１３３の確認の結果、通信相手からのスケジュール形式メールに示された日時に既に行動予定が登録されていた場合、および登録されていなかった場合に、それぞれの旨の応答メッセージを発側移動端末１に送信する。
【００３７】
網３は、無線基地局や制御局、移動交換局等を含み、音声通話やパケット通信等のために移動端末間のチャネルを接続する。
【００３８】
次に、本実施形態の通信システムの動作について説明する。
【００３９】
図３を参照すると、発側移動端末１の動作としては、発側ユーザの操作によって起動され（ステップＳ１０１）、選択判定部１３５で文字通話モードまたはスケジュール形式メール通信モードのいずれかを選択する（ステップＳ１０２）。
【００４０】
スケジュール形式メール通信モードが選択された場合にはスケジュール管理制御部１３２が立ち上がり、発側ユーザの操作によりスケジュール形式メールのデータを作成し（ステップＳ１０３）、網３との間でパケット通信チャネルを確立した後にスケジュール形式メールを網３に送信し（ステップＳ１０４）、着側移動端末２からの応答待ちの状態（ステップＳ１０５）となる。
【００４１】
発側移動端末１は応答待ちの状態では着側移動端末２からの応答を常時監視しており（ステップＳ１０６）、応答があればそれを受信した後にパケット通信チャネルを切断する（ステップＳ１０７）。
【００４２】
ステップＳ１０２の選択で文字通話モードが選択された場合には文字通話制御部１３１が立ち上がり、発側ユーザの操作にしたがって文字通話のための文字列データを作成し（ステップ１０８）、文字通話用ワークメモリ１５に蓄積する。
【００４３】
そして、発側移動端末１は網３との間でパケット通信チャネルを確立した後に網３に向けて文字通話の文字列データを載せたパケットを送信する（ステップＳ１０９）。
【００４４】
文字通話のパケットを受信した網３は着側移動端末２との間でパケット通信チャネルを確立し、着側移動端末２から応答があると、その応答が文字通話の開始を許容するものであるか否かを判定する（ステップＳ１１０）。
【００４５】
ステップＳ１１０の判定で着側移動端末２からの応答が文字通話を許容するものであれば、発側移動端末１は選択判断部１３５で文字通話モードを選択し、文字通話機能制御部１３１により文字通話を行う（ステップＳ１１１）。
【００４６】
ステップＳ１１０の判定で着側移動端末２の応答が文字通話を拒否するものであれば、発側移動端末１は選択判定部１３５でスケジュール形式メールモードを選択し（ステップＳ１１２）、モードを自動的に切り替える。このとき、すでに設定されているパケット通信チャネルをスケジュール形式メールモードでそのまま使用する。
【００４７】
そして、スケジュール管理制御部１３２により表示部１７にスケジュール形式メールの入力画面を表示し、発側ユーザの入力によりスケジュール形式メールを作成して（ステップＳ１１３）、網３を介して着側移動端末２に向けてスケジュール形式メールを送信し（ステップ１１４）、前記した着側移動端末２からの応答待ちの状態（ステップＳ１０５）となる。
【００４８】
図４を参照すると、本実施形態の移動通信システムの着側ユーザが文字通話を拒否したときの動作としては、まず、発側ユーザが発呼すると発側移動端末１から網３にパケット通信チャネルの確保を要求するパケット通信登録要求メッセージが送信される。
【００４９】
パケット通信登録要求メッセージを受信した網３では、発側移動端末１との間にパケット通信チャネルが割り当てられ、パケット通信チャネルを割り当てた旨のパケット通信登録応答メッセージが発側移動端末１に送信される。それとともに網３から着側移動端末２にページングが行われる。
【００５０】
ページングされた着側移動端末２から網３にパケット通信登録要求メッセージが送信される。
【００５１】
着側移動端末２からパケット通信登録要求メッセージを受信した網３では、移動端末２との間にパケット通信チャネルが確立された後にパケット通信登録応答メッセージが着側移動端末２に送信される。
【００５２】
パケット通信登録応答を受信した発側移動端末１から網３に向けて文字通話の文字列データが送信される。文字列データを受信した網３は文字列データを文字通話用ワークメモリ１５に記録すると共に、着側移動端末２に文字通話の開始を許容するか否か問い合わせる。
【００５３】
ここでは着側ユーザは文字通話に応じないので、着側移動端末２から網３に文字通話拒否応答メッセージが送信される。文字通話拒否応答メッセージを受信した網３ではそのメッセージを発側移動端末１に伝達する。
【００５４】
文字通話拒否応答メッセージを受信した発側移動端末１では選択判断部１３５でスケジュール形式メール通信モードが選択され、スケジュール機能制御部１３２が動作する。なお、本実施形態は文字通話用電話番号とメールアドレス（ブラウザにて電話番号をメールアドレスに変換）が同一であるため、文字通話からメール通信にモード変更してもパケット通信チャネルを再確立する必要がなく、そのままパケット通信チャネルを使用可能である。
【００５５】
そして、発側ユーザの入力で作成されたスケジュール形式メールが、発側移動端末１から網３に送信される。網３は発側移動端末１から受信したスケジュール形式メールを着側移動端末２に伝達する。
【００５６】
このスケジュール形式メールを受信した着側移動端末２では、スケジュール確認制御部１３３でスケジュール情報の検索が行われ、発側移動端末１から通知されたスケジュールと着側移動端末２が記憶しているスケジュールとの重複があるか否かが判定され、判定結果から応答メッセージ制御部１３４で応答メッセージが作成され網３に向けて送信される。
【００５７】
ここでは、重複があったとすると、その旨の応答メッセージが着側移動端末２から網３に送信され、それが網３から発側移動端末１に伝達される。
【００５８】
そして、応答メッセージを送信した着側移動端末２は網３に、パケット通信チャネルの開放を要求するパケット通信登録開放要求メッセージを送信する。
【００５９】
パケット通信登録解除要求メッセージを受信した網３では、発側移動端末１にパケット通信チャネルの切断を通知するパケット通信切断要求メッセージを送信するとともに、着側移動端末２にパケット通信チャネルを開放した旨を通知するパケット通信登録解除応答メッセージを送信して、発側および着側のパケット通信チャネルを開放する。
【００６０】
パケット通信切断要求メッセージを受信した発側移動端末１は、パケット通信チャネルの切断を確認するパケット通信切断確認メッセージを網３に送信して一連の動作を終了する。
【００６１】
図５を参照すると、本実施形態の移動通信システムの着側ユーザが文字通話を許容したときの動作としては、まず、発側ユーザが発呼すると発側移動端末１から網３にパケット通信チャネルの確保を要求するパケット通信登録要求メッセージが送信される。
【００６２】
パケット通信登録要求メッセージを受信した網３では、発側移動端末１との間にパケット通信チャネルが割り当てられ、パケット通信チャネルを割り当てた旨のパケット通信登録応答メッセージが発側移動端末１に送信される。それとともに網３から着側移動端末２にページングが行われる。
【００６３】
ページングされた着側移動端末２から網３にパケット通信登録要求メッセージが送信される。
【００６４】
着側移動端末２からパケット通信登録要求メッセージを受信した網３では、移動端末２との間にパケット通信チャネルが確立された後にパケット通信登録応答メッセージが着側移動端末２に送信される。
【００６５】
パケット通信登録応答を受信した発側移動端末１から網３に向けて文字通話の文字列データが送信される。文字列データを受信した網３は文字列データを文字通話用ワークメモリ１５に記録すると共に、着側移動端末２に文字通話の開始を許容するか否か問い合わせる。
【００６６】
ここまでは図４に示した動作と同じである。
【００６７】
そして、ここでは着側ユーザは文字通話を許容するので、着側移動端末２から網３に文字通話確認応答メッセージが送信される。文字通話確認応答メッセージを受信した網３はそのメッセージを発側移動端末１に伝達するとともに、発側移動端末１から受信して文字通話用ワークメモリ１５に記録しておいた文字列データを着側移動端末２に送信する。
【００６８】
その後、網３を介して発側移動端末１と着側移動端末２の間で文字列データが相互に送受信されることで文字通話が行われる。
【００６９】
本実施形態によれば、発側ユーザが発側移動端末１から着側移動端末２に発呼して文字通話の開始を要求したときに着側ユーザが文字通話に応答しないと、発側移動端末１がスケジュール形式メール通信モードに自動的に切り替わり、発側ユーザの入力したスケジュール形式メールを着側移動端末２に送信する。着側移動端末２がそれに自動的に応じて自己の管理するスケジュール情報を検索し、スケジュール形式メールで通知された日時に着側ユーザの行動予定が既に入っている場合には登録できない旨を発側移動端末１に応答し、着側ユーザの行動予定が入っていなければ、スケジュール形式メールで通知された行動予定を登録し、登録した旨を発側移動端末１に応答する。したがって、着側ユーザが文字通話に応じることができないときでも、発側ユーザは着側ユーザのスケジュールが空いている日時に行動予定を設定して約束を取り交わすことができる。
【００７０】
次に、本発明の他の実施形態について図面を参照して説明する。
【００７１】
本発明の他の実施形態の発側移動端末は、文字通話を行うために着側移動端末に発呼したときに着側移動端末が圏外または電源オフの状態であれば通常の電子メール通信モードに自動的に移行する点が図２の移動端末と異なる。
【００７２】
図６を参照すると、他の実施形態の発側移動端末の動作においてステップＳ２０１からステップＳ２１４の処理は図３のステップＳ１０１からステップＳ１１４の処理と同じである。ステップＳ２０９の処理の後に着側移動端末が圏外または電源オフであるか否かを判定し（ステップＳ２１５）、圏外または電源オフでなければステップＳ２１０に移行し、圏外または電源オフであれば通常の電子メールモードに自動的に切り替わり（ステップＳ２１６）、発側ユーザの入力したデータで電子メールを作成し（ステップＳ２１７）、その電子メールを着側移動端末に送信（ステップＳ２１８）した後、パケット通信チャネルを開放（ステップＳ２１９）する点が図３と異なる。
【００７３】
図７を参照すると、他の実施形態の移動通信システムの着側移動端末が圏外等の場合の動作としては、まず、着側移動端末が網からのページングに応答しない場合に網から発側移動端末に相手圏外／電源オフ報告メッセージが送信される。
【００７４】
相手圏外／電源オフ報告メッセージを受信した発側移動端末は、通常メールモードにモード変更して電子メールを作成し、作成した電子メールを網を介して着側移動端末に送信した後、パケット通信チャネルを開放する。
【００７５】
また、本発明の他の実施形態の着側移動端末は、スケジュール形式メールを受信して自己が管理しているスケジュール情報を検索したときに、受信したスケジュール形式メールに示された日時に既に他の行動予定が登録されていても重複して登録し、重複して登録した旨を発側移動端末１に通知する点が図２の移動端末と異なる。
【００７６】
図８を参照すると、本発明の他の実施形態の移動通信システムの着側ユーザが文字通話を拒否したときの動作としては、まず、発側ユーザが発呼すると発側移動端末から網にパケット通信登録要求メッセージが送信される。
【００７７】
パケット通信登録要求メッセージを受信した網では、発側移動端末との間にパケット通信チャネルが割り当てられ、パケット通信登録応答メッセージが発側移動端末に送信される。それとともに網から着側移動端末にページングが行われる。
【００７８】
ページングされた着側移動端末から網にパケット通信登録要求メッセージが送信される。
【００７９】
着側移動端末からパケット通信登録要求メッセージを受信した網では、移動端末との間にパケット通信チャネルが確立された後にパケット通信登録応答メッセージが着側移動端末に送信される。
【００８０】
パケット通信登録応答メッセージを受信した発側移動端末から網に向けて文字通話の文字列データが送信される。文字列データを受信した網は文字列データを文字通話用ワークメモリに記録すると共に、着側移動端末に文字通話の開始を許容するか否か問い合わせる。
【００８１】
ここでは着側ユーザは文字通話に応じないので、着側移動端末から網に文字通話拒否応答メッセージが送信される。文字通話拒否応答メッセージを受信した網ではそのメッセージを発側移動端末に伝達する。
【００８２】
文字通話拒否応答メッセージを受信した発側移動端末ではスケジュール形式メール通信モードが自動的に選択される。なお、本発明の他の実施形態は文字通話用電話番号とメールアドレスが同一であるため、文字通話からメール通信にモード変更してもパケット通信チャネルを再確立する必要がなく、そのままパケット通信チャネルを使用可能である。
【００８３】
そして、発側ユーザの入力操作で作成されたスケジュール形式メールが発側移動端末から網に送信される。網は発側移動端末から受信したスケジュール形式メールを着側移動端末に伝達する。
【００８４】
ここまでは、図４に示した動作と同じである。
【００８５】
このスケジュール形式メールを受信した着側移動端末では、スケジュール形式メールで通知された日時およびその日時の行動予定等の情報をスケジュール情報として記録するとともに、スケジュール情報の検索が行われて発側移動端末から通知されたスケジュールと着側移動端末が記憶しているスケジュールとの重複があるか否かが判定され、判定結果から応答メッセージが作成され網に向けて送信される。
【００８６】
ここでは、重複があったとすると、その旨の応答メッセージが着側移動端末から網に送信され、それが網から発側移動端末に伝達される。
【００８７】
そして、応答メッセージを送信した着側移動端末は網にパケット通信登録開放要求メッセージを送信する。パケット通信登録解除要求メッセージを受信した網はパケット通信切断要求メッセージを送信するとともに、着側移動端末にパケット通信登録解除応答メッセージを送信して、発側および着側のパケット通信チャネルを開放する。パケット通信切断要求メッセージを受信した発側移動端末はパケット通信切断確認メッセージを網に送信して一連の動作を終了する。
【００８８】
本実施形態によれば、発側ユーザが発側移動端末から着側移動端末に発呼して文字通話の開始を要求したときに着側ユーザが文字通話に応答しないと、発側移動端末がスケジュール形式メール通信モードに自動的に切り替わり、発側ユーザの入力したスケジュール形式メールを着側移動端末に送信する。着側移動端末がそれに自動的に応じてスケジュール形式メールで通知された日時と行動予定を自己の管理するスケジュール情報に登録するとともに、スケジュール形式メールで通知された日時に着側ユーザの行動予定が既に入っている場合には重複登録となった旨を発側移動端末１に応答し、着側ユーザの行動予定が入っていなければ、スケジュール形式メールで通知された行動予定を登録し、重複せずに登録した旨を発側移動端末に応答する。したがって、着側ユーザが文字通話に応じることができないときでも、発側ユーザは着側ユーザに日時と行動予定を指定した通知をし、かつ、その日時に着側ユーザに他の行動予定があるか否かを知ることができるのでスケジュール合わせが容易になる。
【００８９】
また、本実施形態によれば、発側移動端末から着側移動端末に文字通話を行うために発呼したとき、着側移動端末が圏外または電源オフであれば発側移動端末に即座に応答することができないので、発側移動端末は通常の電子メールモードに自動的にモード変更して、着側移動端末に電子メールで一方的に用件を通知するので、着側移動端末が圏外または電源オフの状態でも一方的な電子メールで用件を通知することができ、用件の通知が容易である。
【００９０】
【発明の効果】
以上説明したように本発明は、以下のような効果を有する。
【００９１】
着側ユーザが文字通話に応じることができず何の操作も行わなくても、発側ユーザは所望の日時の行動予定を着側ユーザに通知し、その日時の着側ユーザのスケジュールの空き状況に応じた応答を得ることができる。
【００９２】
また、着側ユーザが文字通話に応じることができず、何の操作も行わなくても、発側ユーザは着側ユーザのスケジュールが空いている日時に行動予定を設定して約束を取り交わすことができる。
【００９３】
さらに、着側ユーザが文字通話に応じることができないときでも、発側ユーザは着側ユーザに日時と行動予定を指定した通知をし、かつ、その日時に着側ユーザに他の行動予定があるか否かを知ることができるのでスケジュール合わせが容易になる。
【００９４】
さらに、着側ユーザの移動端末が圏外または電源オフの状態でも一方的な電子メールで用件を通知することができ、用件の通知が容易である。
【図面の簡単な説明】
【図１】本発明の一実施形態の移動通信システムの構成を示すシステム構成図である。
【図２】本実施形態の移動端末の構成を示すブロック図である。
【図３】本実施形態の発側移動端末の動作を示すフローチャートである。
【図４】本実施形態の移動通信システムの着側ユーザが文字通話を拒否したときの動作を示すシーケンス図である。
【図５】本実施形態の移動通信システムの着側ユーザが文字通話を許容したときの動作を示すシーケンス図である。
【図６】本発明の他の実施形態の発側移動端末の動作を示すフローチャートである。
【図７】本発明の他の実施形態の移動通信システムの着側移動端末が圏外等の場合の動作を示すシーケンス図である。
【図８】本発明の他の実施形態の移動通信システムの着側ユーザが文字通話を拒否したときの動作を示すシーケンス図である。
【符号の説明】
１    発側移動端末
２    着側移動端末
３    網
１１    アンテナ
１２    変復調部
１３    制御部
１３１    文字通話制御部
１３２    スケジュール管理制御部
１３３    スケジュール確認制御部
１３４    応答メッセージ制御部
１３５    選択判定部
１４    データメモリ部
１５    文字通話用ワークメモリ
１６    操作部
１７    表示部
Ｓ１０１〜Ｓ１１４，Ｓ２０１〜Ｓ２１９    ステップ
【図１】
0003709334.tif 000002
【図２】
0003709334.tif 000003
【図３】
0003709334.tif 000004
【図４】
0003709334.tif 000005
【図５】
0003709334.tif 000006
【図６】
0003709334.tif 000007
【図７】
0003709334.tif 000008
【図８】
0003709334.tif 000009